(57)【要約】【課題】サーバー等に記録することなく、認証カードに生体情報を含む照合個人情報データを記録することで、情報の漏洩、不正使用等の個人認証の問題点を解消すること。【解決手段】指紋等の個人生体情報と個人特定情報とを合成して二次元コード化して表示したことを特徴とする、本人認証用カード。個人生体情報の登録にあたり、指紋等の個人登録生体情報と個人特定情報とを合成して二次元コード化して表示した二次元コード化本人情報表示面を有する本人認証用カードを作成して本人に交付する。本人認証にあたり、本人認証用カードをセンサーで読取り、二次元コード化本人情報表示面の情報を再生し、指紋等の本人生体情報を指紋センサー等の生体情報読取手段により指紋等の本人生体情報を検出し、個人特定情報の入力により二次元コード化本人情報表示面の情報より指紋等の個人登録生体情報を取出し、本人生体情報との比較により本人認証を行う個人認証方法。【選択図】図２
2004310313.tif 000002
【特許請求の範囲】
【請求項１】
指紋等の個人生体情報と個人特定情報とを合成して二次元コード化して表示した二次元コード化本人情報表示面を有することを特徴とする、二次元コード化した個人生体情報を含む本人認証用カード。
【請求項２】
個人生体情報の登録にあたり、
指紋等の個人登録生体情報と個人特定情報とを合成して二次元コード化して表示した二次元コード化本人情報表示面を有する本人認証用カードを作成して本人に交付し、
本人認証にあたり、
本人が所持する前記本人認証用カードをセンサーで読取り、二次元コード化本人情報表示面の情報を再生し、
指紋等の本人生体情報を指紋センサー等の生体情報読取手段により指紋等の本人生体情報を検出し、
個人特定情報の入力により二次元コード化本人情報表示面の情報より指紋等の個人登録生体情報を取出し、
取出した個人登録生体情報と本人生体情報との比較により本人認証を行うことを特徴とする、二次元コード化した個人登録生体情報を使用する個人認証方法。
【発明の詳細な説明】
【０００１】
【発明の属する技術分野】
本願発明は、指紋情報等の個人生体情報を個人認証登録情報とする個人認証に関するものである。より詳しくは、指紋等の個人生体情報と個人特定情報を二次元コード化した認証方法に関するものである。
【０００２】
【従来の技術】
指紋情報等の個人生体情報を個人認証登録情報とする個人認証に関して、通常の指紋認証方法はあらかじめ個人の指紋情報をサーバー等に登録し、認証時に読み取った情報と登録された情報を照合することによって行われている。例えば、特開２００３−４４４４３号公開特許公報（特許文献１）では、個人認証のための生体情報は、個人認証データ登録センターに管理されている。
【０００３】
【特許文献１】特開２００３−４４４４３号公開特許公報
【０００４】
【発明が解決しようとする課題】
上記の公知技術においては、個人認証データ登録センターのサーバー等に個人生体情報が記録されることで、情報の漏洩、不正使用等の問題点が指摘されている。
よって、本願発明は、サーバー等に記録することなく、認証カードに生体情報を含む照合のため個人情報データを記録することを課題とする。
【０００５】
【課題を解決するための手段】
本願請求項１の発明は、指紋等の個人生体情報と個人特定情報とを合成して二次元コード化して表示した二次元コード化本人情報表示面を有することを特徴とする、二次元コード化した個人生体情報を含む本人認証用カードを提供する。
【０００６】
本願請求項２の発明は、個人生体情報の登録にあたり、指紋等の個人登録生体情報と個人特定情報とを合成して二次元コード化して表示した二次元コード化本人情報表示面を有する本人認証用カードを作成して本人に交付する。本人認証にあたり、本人が所持する前記本人認証用カードをセンサーで読取り、二次元コード化本人情報表示面の情報を再生し、指紋等の本人生体情報を指紋センサー等の生体情報読取手段により指紋等の本人生体情報を検出し、個人特定情報の入力により二次元コード化本人情報表示面の情報より指紋等の個人登録生体情報を取出し、  取出した個人登録生体情報と本人生体情報との比較により本人認証を行うことを特徴とする、二次元コード化した個人登録生体情報を使用する個人認証方法を提供する。
【０００７】
【発明の実施態様】
本願請求項１の発明の実施態様として、個人生体情報を指紋情報とし、個人特定情報をパスワード、母親の旧姓などの文字情報とする。指紋センサー１で指紋を読取り、読取った指紋の画像情報を特定のソフトウェアで二次元コード化し前記文字情報と合成して二次元コード化本人情報表示面を形成して、本人認証用カードとしてＩＤカードを適用して、プラスティックカード製のＩＤカードに二次元コード化本人情報表示面を印刷する。
本願請求項２の発明の実施態様として、個人生体情報の登録にあたり、請求項１の前記ＩＤカードを本人に交付する。本人認証にあたり、本人が所持する前記ＩＤカードを特定デコードソフトを有するリーダーで読取り、二次元コード化本人情報表示面の情報を再生する。指紋センサーの本人生体情報を検出する。個人特定情報の入力により二次元コード化本人情報表示面の情報より指紋情報（個人登録生体情報）を取出し、  取出した指紋情報（個人登録生体情報）と指紋センサーよりの本人生体情報との比較により本人認証を行う。
【０００８】
【実施例】
以下、図面に示す実施例にもとづいて、本願発明を詳細に説明する。
【０００９】
図１に示す実施例においては、個人生体情報を指紋情報とし、個人特定情報をパスワード、母親の旧姓などの文字情報とする。
【００１０】
指紋センサー６で指紋を読取り、読取った指紋の画像情報を特定のソフトウェアで二次元コード化し、本人識別用カード（ＩＤカード）１に印刷する。ＩＤカードとしてはプラスティックカードを使用する。
【００１１】
ＩＤカード上には個人情報として、氏名、生年月日、その他の情報を印刷するとともに、同時にそれらの印刷表示された情報３に加えて、カード上には印刷しないが個人にしか分かり得ない文字情報（パスワードや母親の旧姓など）および指紋の画像情報を合成し、一つの二次元コードとして印刷して、二次元コード化して表示した二次元コード化本人情報表示面２を併存させる。即ち、本人認証用カード（ＩＤカード）１には、印刷表示された情報３に加えて二次元コード化本人情報表示面２が存在することとなる。なお、写真４、販売記録等の磁気記録部５を付加してもよいことは勿論である。
【００１２】
図４に、上記の二次元コード化本人情報表示面２の印字状態の一例を示す。
【００１３】
上記の二次元コード化本人情報表示面２の形成の一例を示すと、
個人生体情報（指紋情報）ａを、指紋読取用センサー（指紋センサー）６で読取る。−−−指紋画像情報をカード作成用コンピュータ１０に入力する。
文字情報ｂをテンキー入力装置７を介して本人操作で入力する。−−−−−本人記憶の文字情報をカード作成用コンピュータ１０に入力する。
カード作成用コンピュータ１０は、図２を参照して、二次元コード化手段１０Ａおよび合成手段１０Ｂの機能を有し、指紋画像情報ａを、コンピュータ内蔵の特定のソフトウエアで二次元コード化する。その際、ソフトウエア、文字情報にもとづきマトリクス配置の単位情報エリヤの各番地に記録される指紋画像情報ａは変化することで、二次元コード化された指紋画像情報ａは文字情報ｂと合成されたこととなる。
二次元コード化された指紋画像情報は文字情報と合成されて、二次元コード化本人情報ｃとして、カード作成コンピュータ１０から二次元コード化本人情報表示面２として出力され、プリンター８によりＩＤカード１上に印刷される。ＩＤカードとしては、プラスティツクカードを使用する。
【００１４】
ＩＤカード１上の二次元コード化本人情報表示面２の印字例は図４に示すところであるが、その内容について、図５に示す、二次元コード化本人情報表示面２の記録内容表示面２‘に基づき記録内容の一例を参照して、格子状（マトリクス配置）の単位データエリヤ２０を、指紋画像情報エリヤ２１と文字エリヤ２２と付加情報エリヤ２３との合成で構成されている。
【００１５】
二次元コード化本人情報表示面２上の指紋画像情報は、文字エリヤ２２の解読にもとづく文字情報ｂ、付加情報エリヤ２３の解読にもとづく付加情報、コンピュータ内蔵の特定のソフトウエアにもとづいて判読されることで、本人指紋を示す指紋画像情報が出力されることとなる。
【００１６】
図５は内容分析例を示すもので、図４に示す白黒四角形の格子状配置により表示されるものであり、指紋画像情報エリヤ２１と文字エリヤ２２と付加情報エリヤ２３の合成で構成されるものであるが、指紋画像情報エリヤ２１、文字エリヤ２２、付加情報エリヤ２３の視認による区別不可能であり、かつその位置は任意であり、暗号化ソフトにもとづきは指紋画像情報エリヤ２１、文字エリヤ２２、付加情報エリヤ２３の指定番地、指定範囲は変化するものである。
【００１７】
本人認証にあたり、図３を参照して、
▲１▼  本人が所持する前記本人認証用カード１をカードリーダ１２で読取り、カードリーダ１２に内装したデコードソフトにより二次元コード化本人情報表示面２の情報ｃを再生し、認証管理コンピュータ１１に入力する。
▲２▼  指紋等の本人生体情報を指紋センサー等の生体情報読取手段１４により指紋等の本人生体情報ａを検出し、認証管理コンピュータ１１に入力する。
▲３▼  認証本人が文字情報をテンキー入力装置１３を介して入力操作することで、本人記憶にもとづき文字情報ｂを認証管理コンピュータ１１に入力する。
▲４▼  認証管理コンピュータ１１の二次元コード化本人情報解読手段１５は、個人特定情報の入力により二次元コード化本人情報表示面２の情報より、コンピュータ内蔵の二次元コード解読ソフト１６を使用して、指紋等の個人登録生体情報を取出す。
▲５▼  認証管理コンピュータ１１の比較手段１７は取出した個人登録生体情報と本人生体情報との比較を行う。両情報の一致により本人認証を出力する。
かくして、ＩＤカード１上の印刷されている指紋情報と、本人より読取った指紋情報との比較により、個人認証が実施されることとなる。
【００１８】
図５は、本願発明を実施するためのシステム構成の一例を示し、前述の構成に、デジタルカメラ９、電子錠１８、扉１９を追加して、本人認証により扉１９に対する電子錠１８のロックを解除するものである。
【００１９】
本発明は、指紋情報等を、二次元コード化することで、個別化の可能なカードを使用することとなり、カード発行者が独自のコードを印刷することにより、そのコードは特定のリーダー（デコードソフト）でなければ読取ることができないので、セキュリティレベルは非常に高い。
【００２０】
通常の指紋認証方法はあらかじめ個人の指紋情報をサーバー等に登録し、認証時に読取った情報と登録された情報を照合することによって行われ、最近特に、情報の漏洩、不正使用等が問題視されているが、本発明の方法はサーバー等に指紋を登録しないので、その心配はない。またカード上での照合なので、時間短縮、システムの簡略化が可能である。利用用途としては、ＩＤカードの他、入退出管理、公共機関や金融機関等での個人認証がある。
【００２１】
【発明の効果】
本発明は、指紋情報等の個人生体情報を個人認証登録情報とする個人認証にあたり、指紋情報等を、二次元コード化することで、個別化の可能なカードを使用することとなり、カード発行者が独自のコードで印刷することにより、そのコードは特定のリーダー（デコードソフト）がなければ読取ることができないので、セキュリティレベルは非常に高い。
また、個人の指紋情報をサーバー等に登録し、認証時に読取った情報と登録された情報を照合することによって行われる従来方式のかかる問題点を解消できる。
またカード上での照合なので、指紋情報登録用コンピュタを不要としてシステムの簡略化、照合時間の短縮を図り得る効果を有する。
【図面の簡単な説明】
【図１】本発明の実施例を示す本人識別用カードの平面図。
【図２】本人識別用カードの作成の説明図。
【図３】本人識別用カードによる本人認証の説明図。
【図４】本人識別用カードの二次元コード化本人情報表示面の説明図。
【図５】二次元コード化本人情報表示面の内容説明図。
【図６】本発明を実施例するためのシステム構成の説明図。
【符号の説明】
１    本人識別用カード（ＩＤカード）
２    二次元コード化本人情報表示面
３  印刷表示された情報
５    磁気記録部
６    指紋読取用センサー（指紋センサー）
７    テンキー入力装置
８    プリンター
１０    カード作成用コンピュータ
１１    認証管理コンピュータ
１２    カードリーダ
１３  テンキー入力装置
１４    生体情報読取手段
１５    二次元コード化本人情報解読手段
１６  二次元コード解読ソフト
ａ    本人生体情報（指紋情報）
ｂ    文字情報
ｃ    二次元コード化本人情報
【図１】
2004310313.tif 000003
【図２】
2004310313.tif 000004
【図３】
2004310313.tif 000005
【図４】
2004310313.tif 000006
【図５】
2004310313.tif 000007
【図６】
2004310313.tif 000008